(57)【特許請求の範囲】
【請求項１】
複数の信号線を有するケーブルと、
接続対象に接続可能なプラグ部と、
一端部に前記ケーブルの複数の信号線が各々半田接続された複数の接続部が設けられ、他端部に前記プラグ部が接続された基板と、
前記基板を着脱自在に保持するホルダとを、備えており、
前記ホルダは、略Ｕ字状のホルダ本体と、略逆Ｕ字状の係止部とを有し、
前記ホルダ本体は、一対の基板保持部と、一対の基板保持部の長さ方向の一端部の間の部位である信号線保持部と、を有し、
前記信号線保持部には、前記複数の信号線を前記基板の前記複数の接続部に対して各々位置決め固定する複数の信号線ガイド溝が設けられており、
前記一対の基板保持部の内面には、前記基板の幅方向の両端部を前記信号線保持部に向けてガイドする一対の基板ガイド溝が設けられており、
前記プラグ部には係止凸部又は係止凹部が設けられており、
前記係止部は、前記ホルダ本体の一対の基板保持部の長さ方向の他端部に略直角に設けられており、前記係止部には、基板が一対の基板保持部の基板ガイド溝に嵌まり込んだ状態で、前記プラグ部の係止凸部又は係止凹部を係止する係止凹部又は係止凸部が設けられていることを特徴とするケーブルアッセンブリ。
【請求項２】
請求項１記載のケーブルアッセンブリにおいて、
前記接続部は前記基板上に一列に配設されたパッドであることを特徴とするケーブルアッセンブリ。
【請求項３】
請求項１記載のケーブルアッセンブリにおいて、
前記ホルダ本体は、前記信号線保持部に前記一対の基板保持部と反対側に向けて突出するように設けられており且つ前記信号線ガイド溝にガイドされた前記信号線を載置可能な載置部を更に有していることを特徴とするケーブルアッセンブリ。
【請求項４】
請求項１記載のケーブルアッセンブリにおいて、
前記プラグ部の先端部と前記ケーブルの導出部分とを除く、前記プラグ部の後端部、前記基板及び前記ホルダの全周囲を覆うと共に、前記プラグ部、前記基板及び前記ホルダを移動規制するシールド手段を更に備えていることを特徴とするケーブルアッセンブリ。
【請求項５】
請求項４記載のケーブルアッセンブリにおいて、
前記係止部は、
前記ホルダ本体の一対の基板保持部の幅方向の一端面に各々設けられる一対の柱部と、
この柱部に懸架される梁部とを、有しており、
前記シールド手段は、
前記ホルダ本体の一対の基板保持部の幅方向の他端面に当接する第１のシールド板と、
前記係止部の梁部に当接し且つ前記基板及びホルダを挟んで第１のシールド板と対向する第２のシールド板と、
前記第１、第２のシールド板の幅方向の一端部に当接すると共に、前記ホルダ本体の一方の基板保持部及び前記係止部の一方の柱部に当接する略コ字状の第３のシールド板と、
前記第１、第２のシールド板の幅方向の他端部に当接すると共に、前記ホルダ本体の他方の基板保持部及び前記係止部の他方の柱部に当接する略コ字状の第４のシールド板と、
前記第１、第２、第３、第４のシールド板の長さ方向の一端部に被せられ、当該第１、第２、第３、第４のシールド板の長さ方向の一端部を保持する底部を有する角筒体であって、前記ホルダの長さ方向の一端部に当接する保持シールド部材と、を有しており、
前記第１、第２、第３、第４のシールド板の長さ方向の他端部の間から前記プラグ部の先端部が露出するようになっており、
前記保持シールド部材の底部には前記ケーブルを導出させる導出部が設けられていることを特徴とするケーブルアッセンブリ。
【請求項６】
請求項５記載のケーブルアッセンブリにおいて、
前記保持シールド部材は、
前記第１、第２、第３、第４のシールド板の長さ方向の一端部に被せられる角筒状のボックス部と、
前記ボックス部の長さ方向の一端部の４辺部から略直角に折り曲げられ、前記保持シールド部材の底部をなす４つの閉塞板とを有しており、
前記４つの閉塞板の頂部の間の空間が前記導出部となっていることを特徴とするケーブルアッセンブリ。
【発明の詳細な説明】
【技術分野】
【０００１】
本発明は、ケーブルの複数の信号線が接続されるケーブルアッセンブリに関する。
【背景技術】
【０００２】
この種のケーブルアッセンブリとしては、ケーブルの複数の信号線が基板上の複数の接続パッドに各々半田接続されるようになっているもの（特許文献１参照）がある。
【０００３】
【特許文献１】特開２００７−１４１５２２号公報
【発明の開示】
【発明が解決しようとする課題】
【０００４】
ところが、前記信号線は、基板上の前記接続パッドに各々直接半田付けされることから、当該信号線の位置決めがし難く、作業性が悪い。このため、前記信号線と前記接続パッドとの半田付け作業に時間がかかり、半田付け不良が起こる可能性もある。
【０００５】
また、前述のように前記信号線が位置決め固定されない状態で、前記信号線が基板上の前記接続パッドに各々直接半田付けされると、前記信号線と前記接続パッドとの各半田付け部の半田の量が不定量となる場合がある。このように各半田付け部の半田の量が不定量になると、インピーダンスに乱れが生じ、電気的特性に悪影響を与える。
【０００６】
更に、前記信号線は前記接続パッド上に半田付けされているだけであることから、前記信号線が引っ張られると、その半田付け部に断線が生じる可能性がある。
【０００７】
本発明は、上記事情に鑑みて創案されたものであって、その目的とするところは、ケーブルの複数の信号線を基板上に半田付けするに当たり、当該信号線を容易に位置決め固定することができるケーブルアッセンブリを提供することにある。
【課題を解決するための手段】
【０００８】
上記課題を解決するために、本発明のケーブルアッセンブリは、複数の信号線を有するケーブルと、接続対象に接続可能なプラグ部と、一端部に前記ケーブルの複数の信号線が各々半田接続された複数の接続部が設けられ、他端部に前記プラグ部が接続された基板と、前記基板を着脱自在に保持するホルダとを、備えている。前記ホルダは、略Ｕ字状のホルダ本体と、略逆Ｕ字状の係止部とを有している。前記ホルダ本体は、一対の基板保持部と、一対の基板保持部の長さ方向の一端部の間の部位である信号線保持部と、を有している。前記信号線保持部には、前記複数の信号線を前記基板の前記複数の接続部に対して各々位置決め固定する複数の信号線ガイド溝が設けられている。前記一対の基板保持部の内面には、前記基板の幅方向の両端部を前記信号線保持部に向けてガイドする一対の基板ガイド溝が設けられている。前記プラグ部には係止凸部又は係止凹部が設けられている。前記係止部は、前記ホルダ本体の一対の基板保持部の長さ方向の他端部に略直角に設けられており、前記係止部には、基板が一対の基板保持部の基板ガイド溝に嵌まり込んだ状態で、前記プラグ部の係止凸部又は係止凹部を係止する係止凹部又は係止凸部が設けられている。
【０００９】
このようなケーブルアッセンブリによる場合、複数の信号線がホルダの複数の信号線ガイド溝により基板の複数の接続部に対して各々位置決め固定される。このため、複数の信号線を複数の接続部に半田付けする半田付けの作業性が向上する。よって、半田付け作業の時間が短くなり且つ半田付け不良を低減することができる。また、前記信号線が位置決め固定された状態で、前記接続部に各々半田付けされるようになっていることから、複数の信号線と複数の接続部との各半田付け部の半田の量を定量化することができ、インピーダンスの乱れの発生を抑制することができる。更に、前記信号線が前記信号線ガイド溝で各々位置決め固定されることから、前記信号線が引っ張られたとしても、その半田付け部に直接負荷が掛かるのを防止することができる。よって、各半田付け部の断線を抑制することができる。また、基板がホルダに保持されているので、前記基板の他端部に接続されたプラグ部が接続対象に接続される際にこじられたとしても、このこじり力に起因する負荷が基板上の複数の接続部と複数の信号線との半田付け部に直接掛かるのを防止することができる。よって、この点でも、各半田付け部の断線を抑制することができる。
また、基板をホルダに取り付け、その後、前記信号線をホルダの前記信号線ガイド溝に嵌め込み、当該信号線を基板上の前記接続部に各々半田付けすることができるので、基板の取り付けから信号線の半田付けまでの作業を容易に行うことができる。
また、基板の幅方向の両端部を一対の基板保持部の基板ガイド溝に前記信号線保持部に向けてガイドさせると、基板の一端部上の複数の接続部とホルダの複数の信号線ガイド溝とが位置合わせされる。即ち、基板の複数の接続部とホルダの複数の信号線ガイド溝との位置合わせを容易に行うことができる。
しかも、プラグ部が、基板が一対の基板保持部の基板ガイド溝に嵌まり込んだ状態で、係止部に係止され、位置決め固定されるようになっている。このため、前記基板の他端部に接続されたプラグ部が接続対象に接続される際にこじられたとしても、そのこじり力に起因する負荷が基板上の複数の接続部と複数の信号線との半田付け部に直接掛かるのを防止することができる。よって、この点でも、各半田付け部の断線を抑制することができる。
【００１１】
前記接続部は基板上に一列に配設されるパッドであることが好ましい。このように基板上に一列に並んだ前記接続部に複数の信号線を半田付けし面実装することができる。よって、更に、各半田付け部の半田の量の定量化を図ることができる。また、前記接続部が一列に並んでいると、基板上に設けられる当該パッドからＩＣまでの各ライン間の電気長の制御及びインピーダンスの制御を容易に行うことが可能になる。
【００１３】
ホルダ本体は、信号線保持部に一対の基板保持部と反対側に向けて突出するように設けられており且つ前記信号線ガイド溝にガイドされた前記信号線を載置可能な載置部を更に有していることが好ましい。この場合、複数の信号線ガイド溝にガイドされ、基板の複数の接続部に半田付けされた複数の信号線を載置部に載置した状態で、当該信号線をホットメルト等の樹脂接着剤で一括固定することができるので、前記信号線の固定作業を容易に行うことができる。また、前記信号線をホットメルト等の樹脂接着剤で載置部に接着するようにすれば、ケーブルが引っ張られた際に、当該ケーブルの各信号線と基板の接続部との半田付け部が断線するのを抑止することが可能になる。
【００１５】
前記ケーブルアッセンブリは、プラグ部の先端部とケーブルの導出部分とを除く、プラグ部の後端部、基板及びホルダの全周囲を覆うと共に、プラグ部、基板及びホルダを移動規制するシールド手段を更に備える構成とすることができる。
【００１６】
係止部は、ホルダ本体の一対の基板保持部の幅方向の一端面に各々設けられる一対の柱部と、この柱部に懸架される梁部とを有する形状とすることができる。この場合、シールド手段は、ホルダ本体の一対の基板保持部の幅方向の他端面に当接する第１のシールド板と、係止部の梁部に当接し且つ基板及びホルダを挟んで第１のシールド板と対向する第２のシールド板と、第１、第２のシールド板の幅方向の一端部に当接すると共に、ホルダ本体の一方の基板保持部及び係止部の一方の柱部に当接する略コ字状の第３のシールド板と、第１、第２のシールド板の幅方向の他端部に当接すると共に、ホルダ本体の他方の基板保持部及び係止部の他方の柱部に当接する略コ字状の第４のシールド板と、第１、第２、第３、第４のシールド板の長さ方向の一端部に被せられ、当該第１、第２、第３、第４のシールド板の長さ方向の一端部を保持する底部を有する角筒体であって、ホルダの長さ方向の一端部に当接する保持シールド部材とを有しており、第１、第２、第３、第４のシールド板の長さ方向の他端部の間からプラグ部の先端部が露出するようになっており、保持シールド部材の底部にはケーブルを導出させる導出部が設けられている。
【００１７】
即ち、第１のシールド板が一対の基板保持部の幅方向の他端面に当接してプラグ部の後端部、ホルダ及び基板を当該基板の厚み方向の他端側から覆う。第２のシールド板が係止部の梁部に当接してプラグ部の後端部、ホルダ及び基板を当該基板の厚み方向の一端側から覆う。略コ字状の第３のシールド板が第１、第２のシールド板の幅方向の一端部に当接すると共に、ホルダ本体の一方の基板保持部及び係止部の一方の柱部に当接してプラグ部の後端部、ホルダ及び基板を当該基板の幅方向の一端側から覆う。略コ字状の第４のシールド板が第１、第２のシールド板の幅方向の他端部に当接すると共に、ホルダ本体の他方の基板保持部及び係止部の他方の柱部に当接してプラグ部の後端部、ホルダ及び基板を当該基板の幅方向の他端側から覆う。更に、保持シールド部材が第１、第２、第３、第４のシールド板の長さ方向の一端部に被せられ、ホルダの長さ方向の一端部に当接してプラグ部の後端部、ホルダ及び基板を当該基板の長さ方向の一端側から覆う。このようにしてプラグ部の先端部を外部に露出させ且つケーブルを外部に導出させた状態で、プラグ部の後端部、ホルダ及び基板の全周囲が覆われる。また、第１、第２、第３、第４のシールド板及び保持シールド部材がホルダに当接することにより、当該ホルダ、基板及びプラグ部が移動規制される。このため、プラグ部が接続対象に接続される際にこじられたとしても、このこじり力に起因する負荷が基板上の複数の接続部と複数の信号線との半田付け部に直接掛かるのを防止することができる。よって、この点でも、各半田付け部の断線を抑制することができる。
【００１８】
保持シールド部材は、第１、第２、第３、第４のシールド板の長さ方向の一端部に被せられる角筒状のボックス部と、ボックス部の長さ方向の一端部の４辺部から略直角に折り曲げられ、前記保持シールド部材の底部をなす４つの閉塞板とを有する構成とすることができる。４つの閉塞板の頂部の間の空間が前記導出部となっている。
【００１９】
この場合、ボックス部を第１、第２、第３、第４のシールド板の長さ方向の一端部に被せ、その後、４つの閉塞板をボックス部の長さ方向の一端部の４辺部に対して略直角に折り曲げることにより、前記保持シールド部材の底部を構成する。このため、ボックス部を第１、第２、第３、第４のシールド板の長さ方向の一端部に被せ、４つの閉塞板を折り曲げるだけで、プラグ部の後端部、ホルダ及び基板を当該基板の長さ方向の一端側から覆うことができると共に、第１、第２、第３、第４のシールド板の固定を行うことができる。よって、シールド手段のホルダへの取り付けを非常に簡単に行うことができる。
【発明を実施するための最良の形態】
【００２０】
以下、本発明の実施の形態に係るケーブルアッセンブリについて図面を参照しつつ説明する。図１は（ａ）が本発明の実施の形態に係るケーブルアッセンブリの概略的斜視図、（ｂ）が同ケーブルアッセンブリの上ケースを取り外した状態を示す概略的斜視図、図２は（ａ）が同ケーブルアッセンブリのＡ−Ａ断面図、（ｂ）が同ケーブルアッセンブリのＢ−Ｂ断面図、図３は同ケーブルアッセンブリの上下ケース及びシールド手段を取り除いた状態の概略的斜視図であって、（ａ）が信号線接続状態を示す図、（ｂ）が信号線未接続状態を示す図、図４は（ａ）が同ケーブルアッセンブリの上下ケース及びシールド手段を取り除いた状態のＣ−Ｃ矢視図、（ｂ）がα部分の拡大図、図５は同ケーブルアッセンブリの基板及びプラグ部をホルダに取り付ける前の状態を示す概略的斜視図、図６は同ケーブルアッセンブリのホルダの概略的斜視図であって、（ａ）が長さ方向の上方一端側から見た図、（ｂ）が長さ方向の上方他端側から見た図である。
【００２１】
図１及び図２に示すケーブルアッセンブリは、複数の信号線１１０を有するケーブル１００と、図示しない接続対象（例えば、パソコン本体のレセプタクル）に接続可能なプラグ部２００と、長さ方向の一端部にケーブル１００の複数の信号線１１０が各々半田接続される複数の接続部３１０が設けられ、長さ方向の他端部にプラグ部が電気的且つ機械的に接続される基板３００と、基板３００を着脱自在に保持するホルダ４００と、プラグ部２００の先端部の露出部分とケーブル１００の導出部分とを除く、プラグ部２００の後端部、基板３００及びホルダ４００の全周囲を覆い且つプラグ部２００、基板３００及びホルダ４００を移動規制するシールド手段５００と、プラグ部２００、基板３００、ホルダ４００及びシールド手段５００を収容する上ケース６００ａ及び下ケース６００ｂとを備えている。以下、各部を詳しく説明する。
【００２２】
ケーブル１００は、図１、図２（ｂ）及び図３（ａ）に示すように、バルクケーブルであって、外周の絶縁層の中に複数の信号線１１０が組み込まれている。各信号線１１０は、絶縁層と、この絶縁層に被覆され、基板３００上の接続部３１０に半田接続される芯線１１１とを有している。
【００２３】
基板３００は、図３に示すように、周知のプリント基板であって、受信用ＩＣ等が実装されている。この基板３００の長さ方向の一端部上には、パッドである複数の接続部３１０が一列に配設されている。このように複数の接続部３１０が一列に配設することにより、基板３００上の受信用ＩＣと複数の接続部３１０とを繋ぐ図示しない複数のラインの電気長のズレを低減し、インピーダンスマッチングを図っている。
【００２４】
プラグ部２００は、図１乃至図５に示すように、基板３００の長さ方向の他端部上に設けられるプラグボディ２１０及び保持ブロック２２０と、プラグボディ２１０及び保持ブロック２２０に保持される複数のコンタクト２３０とを有する。
【００２５】
プラグボディ２１０は、矩形状の板部２１１と、この板部２１１の厚み方向の一端面に設けられる板状の一対の係止凸部２１２と、板部２１１の厚み方向の他端面に設けられる略角柱状の嵌合部２１３と、板部２１１の他端面の嵌合部２１３両側部に設けられる６角柱状の一対の取付部２１４と、板部２１１及び嵌合部２１３を貫通する複数のコンタクト収容孔２１５とを有する。
【００２６】
嵌合部２１３は前記接続対象に嵌合する部位である。また、一対の取付部２１４は前記接続対象の一対の取付ネジが螺合するネジ孔が設けられている。この嵌合部２１３及び一対の取付部２１４がシールド手段５００から露出するプラグ部２００の先端部となる。一方、板部２１１、一対の係止凸部２１２及び保持ブロック２２０がシールド手段５００に覆われるプラグ部２００の後端部となる。
【００２７】
一対の係止凸部２１２はホルダ４００の係止凹部４２２ａに嵌まり込み係止されるようになっている。
【００２８】
保持ブロック２２０は、図２（ｂ）に示すように、一対の係止凸部２１２の間に位置している。
【００２９】
コンタクト２３０は略Ｌ字状のピンである。このコンタクト２３０の一端部は、コンタクト収容孔２１５に収容される。コンタクト２３０の他端部は、保持ブロック２２０及び基板３００に突き刺ささり、当該基板３００に電気的に接続される。
【００３０】
ホルダ４００は、図３、図４、図５及び図６に示すように、略Ｕ字状のホルダ本体４１０と、このホルダ本体４１０の一対の基板保持部４１１の長さ方向の他端部に略直角に設けられる略逆Ｕ字状の係止部４２０と、ホルダ本体４１０の信号線保持部４１２に一対の基板保持部４１１と反対方向に向けて設けられる載置部４３０とを有している。
【００３１】
ホルダ本体４１０は、一対の基板保持部４１１と、一対の基板保持部４１１の長さ方向の一端部の間の部位である信号線保持部４１２とを有する。
【００３２】
一対の基板保持部４１１の内面には、図６に示すように、長溝である一対の基板ガイド溝４１１ａが当該基板保持部４１１の長さ方向に向けて設けられている。この一対の基板ガイド溝４１１ａの長さ方向の他端部が開放されている。即ち、基板３００の幅方向の両端部が一対の基板ガイド溝４１１ａの前記長さ方向の他端部側の開放部から挿入され、信号線保持部４１２に向けて当該基板ガイド溝４１１ａにガイドされる。
【００３３】
信号線保持部４１２の上端部には、複数の信号線ガイド溝４１２ａが基板３００の複数の接続部３１０に対応する位置に設けられている。各信号線ガイド溝４１２ａは、図４に示すように、略Ｕ字状の凹部であって、その両縁部が内側に向けて凸となっている。信号線ガイド溝４１２ａの両縁部の幅寸法は、信号線１１０の幅寸法よりも若干小さくなっている。即ち、信号線ガイド溝４１２ａに挿入された信号線１１０が、前記両縁部により係止されるようになっている。これにより信号線１１０の信号線ガイド溝４１２ａからの抜けを防止すると共に、信号線１１０が引っ張られた際の負荷が、当該信号線１１０の芯線１１１と接続部３１０との半田付け部に直接掛かり、当該半田付け部に断線が生じるのを防止している。
【００３４】
載置部４３０は、複数の信号線ガイド溝４１２ａに嵌まり込んだ複数の信号線１１０を載置可能になっている。この載置部４３０は、複数の信号線１１０がホットメルト等の樹脂接着剤で固着される固定部として機能すると共に、この固着作業の際に、複数の信号線１１０を載せる作業台としても機能する。
【００３５】
係止部４２０は、板状の一対の柱部４２１と、この一対の柱部４２１に懸架される板状の梁部４２２とを有する。梁部４２２の下端部には、係止凹部４２２ａが設けられている。
【００３６】
係止凹部４２２ａの基板３００の長さ方向の他端部側が開放されている。係止凹部４２２ａの長さ寸法ｍは、一対の係止凸部２１２の外面の間の距離ｎよりも若干大きくなっている。この係止凹部４２２ａには、図５に示すように、基板３００の幅方向の両端部が一対の基板保持部４１１の一対の基板ガイド溝４１１ａに嵌まり込んだ状態で、一対の係止凸部２１２が嵌まり込み係止されるようになっている。このようにしてプラグ部２００が係止部４２０の係止凹部４２２ａに位置決め固定され、基板３００の幅方向側及び基板３００の長さ方向の一端側から移動規制される。
【００３７】
シールド手段５００は、図１（ｂ）及び図２に示すように、ホルダ４００のホルダ本体４１０の一対の基板保持部４１１の幅方向の他端面に当接する第１のシールド板５１０と、ホルダ４００の係止部４２０の梁部４２２に当接する第２のシールド板５２０と、第１、第２のシールド板５１０、５２０の幅方向の一端部に当接すると共に、ホルダ本体４１０の一方の基板保持部４１１及び係止部４２０の一方の柱部４２１に当接する略コ字状の第３のシールド板５３０と、第１、第２のシールド板５１０、５２０の幅方向の他端部に当接すると共に、ホルダ本体４１０の他方の基板保持部４１１及び係止部４２０の他方の柱部４２１に当接する略コ字状の第４のシールド板５４０と、第１、第２、第３、第４のシールド板５１０、５２０、５３０、５４０の長さ方向の一端部に被せられる有底の角筒状の保持シールド部材５５０とを有している。
【００３８】
第１のシールド板５１０は、幅寸法がホルダ４００のホルダ本体４１０の幅寸法（一対の基板保持部４１１の外面の間の距離）と略同じ矩形状の板状体である。また、第１のシールド板５１０の長さ方向の他端部はプラグ部２００の板部２１１の下端部に沿って略Ｌ字状に折り曲げられている。
【００３９】
第２のシールド板５２０は、幅寸法が第１のシールド板５１０と同じ板状体である。また、第２のシールド板５２０の長さ方向の他端部もプラグ部２００の板部２１１の上端部に沿って略Ｌ字状に折り曲げられている。
【００４０】
第３のシールド板５３０は、幅方向の両端部の間の距離がホルダ本体４１０の一方の基板保持部４１１の幅寸法と係止部４２０の一方の柱部４２１の高さ寸法と第１、第２のシールド板５１０、５２０の厚み寸法との和と略同じになっている。これにより、第３のシールド板５３０の幅方向の両端部がホルダ４００の上下面に取り付けられた第１、第２のシールド板５１０、５２０の幅方向の一端部に当接する。この状態で、第３のシールド板５３０の中間部がホルダ本体４１０の一方の基板保持部４１１及び係止部４２０の一方の柱部４２１に当接する。また、第３のシールド板５３０の長さ方向の他端部は、プラグ部２００の板部２１１の一端部に沿って略Ｌ字状に折り曲げられている。
【００４１】
第４のシールド板５４０は、幅方向の両端部の間の距離がホルダ本体４１０の他方の基板保持部４１１の幅寸法と係止部４２０の他方の柱部４２１の高さ寸法と第１、第２のシールド板５１０、５２０の厚み寸法との和と略同じになっている。これにより、第４のシールド板５４０の幅方向の両端部がホルダ４００の上下面に取り付けられた第１、第２のシールド板５１０、５２０の幅方向の他端部に当接する。この状態で、第４のシールド板５４０の中間部がホルダ本体４１０の他方の基板保持部４１１及び係止部４２０の他方の柱部４２１に当接する。また、第４のシールド板５４０の長さ方向の他端部は、プラグ部２００の板部２１１の他端部に沿って略Ｌ字状に折り曲げられている。
【００４２】
第１、第２、第３、第４のシールド板５１０、５２０、５３０、５４０の略Ｌ字状の折り曲げ部の間からプラグ部２００の嵌合部２１３及び一対の取付部２１４が外部に露出するようになっている。
【００４３】
保持シールド部材５５０は、第１、第２、第３、第４のシールド板５１０、５２０、５３０、５４０の長さ方向の一端部に被せられる角筒状のボックス部５５１と、ボックス部５５１の長さ方向の一端部の４辺部から略直角に折り曲げられ、保持シールド部材５５０の底部をなす一対の閉塞板５５２、５５３とを有する。
【００４４】
各閉塞板５５２は、略三角形状の板状体である。この閉塞板５５２は、折り曲げられた状態で、ホルダ４００の載置部４３０の端面に当接する。閉塞板５５２の頂部には、断面視円弧状の片部が設けられている。
【００４５】
各閉塞板５５３は、略三角形状の板状体である。閉塞板５５３は、折り曲げられた状態で、閉塞板５５２に当接する。この閉塞板５５３の頂部にも、断面視円弧状の片部が設けられている。
【００４６】
閉塞板５５２の片部及び閉塞板５５３の片部により構成される円筒体がケーブル１００を外部に導出させる導出部となる。また、閉塞板５５２の片部及び閉塞板５５３の片部は、カシメられケーブル１００に固定される又はケーブル１００に半田付けされる。
【００４７】
下ケース６００ｂは、図１（ｂ）及び図２に示すように、プラグ部２００の後端部、基板３００及びホルダ４００を覆うように組み合わされたシールド手段５００（即ち、後述する第２のユニット）の下端部を収容する収容部６１０ｂと、プラグ部２００の先端部（即ち、プラグ部２００の嵌合部２１３及び一対の取付部２１４）を外部に露出させる開口部６２０ｂと、ケーブル１００を外部に導出させる導出路６３０ｂとを有する。
【００４８】
導出路６３０ｂには、ケーブル１００を保護する保護部材７００を保持する凹部６３１ｂが設けられている。
【００４９】
上ケース６００ａは、下ケース６００ｂと同じものであって、当該下ケース６００ｂと組み合わされることにより、プラグ部２００の後端部、基板３００及びホルダ４００を覆うように組み合わされたシールド手段５００の上端部を収容する。よって、詳しい説明は省略する。
【００５０】
以下、このような構成のケーブルアッセンブリの組み立て手順について詳しく説明する。まず、長さ方向の他端部にプラグ部２００が電気的且つ機械的に接続された基板３００の幅方向の両端部を、当該基板３００の他端側からホルダ４００の一対の基板保持部４１１の基板ガイド溝４１１ａに挿入する。すると、基板３００の幅方向の両端部がホルダ４００の信号線保持部４１２に当接する。これにより、基板３００の複数の接続部３１０と信号線保持部４１２の複数の信号線ガイド溝４１２ａとが、図３（ｂ）に示すように、各々対応する位置に位置する。
【００５１】
このとき、プラグ部２００の一対の係止凸部２１２がホルダ４００の係止凹部４２２ａに当該基板３００の他端側から嵌まり込み、係止される。
【００５２】
その後、ケーブル１００の複数の信号線１１０をホルダ４００の複数の信号線ガイド溝４１２ａに各々嵌め込み、位置決め固定する。この状態で、複数の信号線１１０の絶縁層から露出させた芯線１１１を基板３００の複数の接続部３１０に半田接続する（これが半田付け部となる。）。
【００５３】
その後、複数の信号線１１０をホルダ４００の載置部４３０にホットメルト等の樹脂接着剤で固着し、一括固定する。このようにして基板３００及びプラグ部２００がホルダ４００に組み付けられ、複数の信号線１１０が接続される（以下、これを第１のユニットと称する。）。
【００５４】
その後、第１のシールド板５１０の長さ方向の他端部の折り曲げ部を第１のユニットのプラグ部２００の板部２１１の下端部に引っ掛けつつ、第１のシールド板５１０をホルダ４００の一対の基板保持部４１１の幅方向の他端面に当接させる。また、第２のシールド板５２０の長さ方向の他端部の折り曲げ部を第１のユニットのプラグ部２００の板部２１１の上端部に引っ掛けつつ、第２のシールド板５２０をホルダ４００の係止部４２０の梁部４２２に当接させる。これにより第１、第２のシールド板５１０、５２０が互いに対向する。
【００５５】
その後、第３のシールド板５３０の長さ方向の他端部の折り曲げ部を第１のユニットのプラグ部２００の板部２１１の一方の端部に引っ掛けつつ、第３のシールド板５３０の幅方向の両端部を、第１、第２のシールド板５１０、５２０の幅方向の一端部に当接させる。すると、第３のシールド板５３０の中間部が第１のユニットのホルダ４００のホルダ本体４１０の一方の基板保持部４１１及び係止部４２０の一方の柱部４２１に当接する。
【００５６】
同様に、第４のシールド板５４０の長さ方向の他端部の折り曲げ部を第１のユニットのプラグ部２００の板部２１１の他方の端部に引っ掛けつつ、第４のシールド板５４０の幅方向の両端部を、第１、第２のシールド板５１０、５２０の幅方向の他端部に当接させる。すると、第４のシールド板５４０の中間部が第１のユニットのホルダ４００のホルダ本体４１０の他方の基板保持部４１１及び係止部４２０の他方の柱部４２１に当接する。
【００５７】
このように、第１、第２、第３、第４のシールド板５１０、５２０、５３０、５４０が第１のユニットの４面に取り付けられると、第１のユニットのプラグ部２００の嵌合部２１３及び一対の取付部２１４が第１、第２、第３、第４のシールド板５１０、５２０、５３０、５４０の長さ方向の他端部の折り曲げ部の間から露出する。
【００５８】
この状態で、一対の閉塞板５５２、５５３を折り曲げる前の保持シールド部材５５０内に、第１、第２、第３、第４のシールド板５１０、５２０、５３０、５４０が取り付けられた第１のユニットを挿入する。すると、保持シールド部材５５０のボックス部５５１が第１、第２、第３、第４のシールド板５１０、５２０、５３０、５４０の長さ方向の一端部に被せられる。
【００５９】
その後、一対の閉塞板５５２を内側に直角に折り曲げる。すると、一対の閉塞板５５２が第１のユニットのホルダ４００の載置部４３０の先端面に当接する。そして、一対の閉塞板５５３を内側に直角に折り曲げ、一対の閉塞板５５２に当接させる。これにより、ボックス部５５１の長さ方向の一端側の開口が塞がれ、第１のユニットの長さ方向の一端側が覆われる。すると、一対の閉塞板５５２の２つの片部及び一対の閉塞板５５３の片部がケーブル１００を覆う円筒体となる。即ち、シールド手段５００の外部に導出させる筒状の導出部となる。このようにして第１のユニットにシールド手段５００が組みつけられる（以下、これを第２のユニットと称する。）。
【００６０】
その後、閉塞板５５２の片部及び閉塞板５５３の片部を、カシメ、ケーブル１００に固定する又はケーブル１００に半田付けする。
【００６１】
その後、第２のユニットの下端部を下ケース６００ｂの収容部６１０ｂに収容させる。すると、下ケース６００ｂの開口部６２０ｂに第２のユニットのプラグ部２００の嵌合部２１３及び一対の取付部２１４が嵌まり込む。
【００６２】
これと共に、ケーブル１００の保護部材７００を下ケース６００ｂの導出路６３０ｂの凹部６３１ｂに嵌め込む。
【００６３】
その後、上ケース６００ａを下ケース６００ｂに組み付ける。すると、上ケース６００ａの収容部６１０ａに第２のユニットの上端部が収容される。そして、上ケース６００ａの開口部６２０ａに第２のユニットのプラグ部２００の嵌合部２１３及び一対の取付部２１４が嵌まり込む。これにより、プラグ部２００の嵌合部２１３及び一対の取付部２１４が開口部６２０ａ、６２０ｂからケース外に露出する。
【００６４】
これと共に、ケーブル１００の保護部材７００を上ケース６００ａの導出路６３０ａの凹部６３１ａに嵌め込む。これにより、保護部材７００及びケーブル１００が上ケース６００ａ及び下ケース６００ｂに保持され、且つ導出路６３０ａ、６３０ｂからケーブル１００が導出される。
【００６５】
このようなケーブルアッセンブリによる場合、ケーブル１００の複数の信号線１１０がホルダ４００の複数の信号線ガイド溝４１２ａにより基板３００の複数の接続部３１０に対して各々位置決め固定されるようになっている。このため、複数の信号線１１０と複数の接続部３１０との半田付けの作業性が向上する。よって、半田付け作業の時間が短くなり且つ半田付け不良を低減することもできる。
【００６６】
また、複数の信号線１１０を位置決め固定した状態で、複数の接続部３１０に各々半田付けすることができるようになっていることから、複数の信号線１１０と複数の接続部３１０との半田付け部の半田の量を定量化することができ、インピーダンスの乱れの発生を抑制することができる。
【００６７】
また、複数の信号線１１０が複数の信号線ガイド溝４１２ａにより各々位置決め固定される。複数の信号線１１０はホットメルト等の樹脂接着剤でホルダ４００の載置部４３０に一括して固着される。更に、シールド手段５００の閉塞板５５２の片部及び閉塞板５５３の片部が、カシメられ、ケーブル１００に固定される又はケーブル１００に半田付けされる。このため、ケーブル１００が引っ張られたとしても、当該ケーブル１００の複数の信号線１１０と複数の接続部３１０との半田付け部に直接負荷が掛かるのを防止することができる。よって、各半田付け部の断線を抑制することができる。
【００６８】
しかも、基板３００の幅方向の両端部がホルダ４００の一対の基板ガイド溝４１１ａに嵌まり込んでいる。また、プラグ部２００の一対の係止凸部２１２がホルダ４００の係止凹部４２２ａに係止されている。更に、第１のユニットが第１、第２、第３、第４のシールド板５１０、５２０、５３０、５４０及び保持シールド部材５５０により当接され、移動規制されている。このため、第１のユニットのプラグ部２００が接続対象に接続される際にこじられたとしても、このこじり力に起因する負荷が基板３００、ホルダ４００及びシールド手段５００を通じて分散される。よって前記負荷が、基板３００上の複数の接続部３１０と複数の信号線１１０との半田付け部に直接掛かるのを防止することができ、各半田付け部の断線を抑制することができる。
【００６９】
なお、上記ケーブルアッセンブリは、複数の信号線を有するケーブルと、接続対象に接続可能なプラグ部と、一端部にケーブルの複数の信号線が各々半田接続される複数の接続部が設けられ、他端部にプラグ部が接続される基板と、基板を保持するホルダとを、備えており、ホルダは、複数の信号線を基板の複数の接続部に対して各々位置決め固定する複数の信号線ガイド溝を有する限り任意に設計変更することが可能である。
【００７０】
ケーブル１００については、バルクケーブルであるとしたが、これに限定されるものではなく、複数の信号線１１０を有するケーブルである限りどのようなケーブルであっても構わない。
【００７１】
基板３００については、一端部に複数の信号線が半田接続される接続部が設けられ、他端部にプラグ部が接続されるものである限り任意に設計変更することが可能である。即ち、上記実施例のような一層基板に限定されるものではなく、二層基板、四層基板等を用いることができる。基板の両面に接続部が設けられる場合には、前記ホルダに基板の両面の複数の接続部に対応する複数の信号線ガイド溝を設けるようにすれば良い。
【００７２】
接続部３１０については、基板３００上に一列に配設されるパッドであるとしたが、これに限定されるものではない。例えば、前記基板に複数の信号線１１０が半田接続されるスルーホール等を設けることも可能である。
【００７３】
ホルダ４００については、前記基板を保持し得るものであり且つ複数の信号線を基板の複数の接続部に対して各々位置決め固定する複数の信号線ガイド溝を有するものである限り任意に設計変更することが可能である。従って、前記ホルダは前記基板が着脱自在になっている必要がなく、前記ホルダに前記基板を埋設したり、前記ホルダに前記基板を接着剤等で接着したりすることができる。
【００７４】
信号線ガイド溝４１２ａについては、複数の信号線を基板の複数の接続部に対して各々位置決め固定し得る限り任意に設計変更することが可能である。
【００７５】
係止部４２０についてはホルダ４００に設けるか否かは任意である。また、係止部４２０には、係止凹部４２２ａが設けられているとしたが、これに代えて係止凸部を設けることも可能である。この場合、プラグ部２００に前記係止凸部が係止される係止凹部を設けると良い。
【００７６】
載置部４３０については、ホルダ４００に設けるか否かは任意である。載置部４３０を設けない場合には、保持シールド部材５５０の一対の閉塞板５５２は、一対の基板保持部４１１の長さ方向の一端面に当接させるようにする。
【００７７】
プラグ部２００については、接続対象に接続し得るものである限り任意に設計変更することが可能である。プラグ部２００の先端部としては、嵌合部２１３及び一対の取付部２１４であるとしたが、接続対象に接続され得るものであれば良い。また、プラグ部２００の後端部についても、前記基板に電気的且つ機械的に接続され得るものであれば良い。接続対象としては、上記実施例のパソコン本体（電子機器）のレセプタクルに限定されるものではなく、その他の電子機器のレセプタクル又は他のプラグとすることができる。
【００７８】
係止凸部２１２については、前記係止凹部に係止され得るものであれば良い。
【００７９】
シールド手段５００については、プラグ部の先端部とケーブルの導出部分とを除く、プラグ部の後端部、基板及びホルダの全周囲を覆うものである限り任意に設計変更することが可能である。
【００８０】
例えば、第１、第２、第３、第４のシールド板５１０、５２０、５３０、５４０の長さ方向の一端部に一対の閉塞板５５２、５５３を設け、当該閉塞板５５２、５５３を略直角に折り曲げることにより、第１のユニットの長さ方向の一端側を覆うようにすることができる。又は、保持シールド部材５５０のボックス部５５１の長さを長くし、当該保持シールド部材５５０のみで第１のユニットの全周囲を覆うようにしても良い。
【００８１】
保持シールド部材５５０については、角筒状のボックス部５５１と、保持シールド部材５５０の底部をなす板部とを有していれば良い。この場合、前記板部にケーブル１００を導出する孔等の導出部を設けると良い。
【００８２】
閉塞板５５２、５５３の形状については、前記導出部を有し、ボックス部５５１の底部を閉塞できるものである限り、任意に設計変更可能である。
【００８３】
導出部については、ケーブル１００をシールド手段外に導出させるものであれば良い。従って、単なる孔部等であっても良い。
【図面の簡単な説明】
【００８４】
【図１】（ａ）が本発明の実施の形態に係るケーブルアッセンブリの概略的斜視図、（ｂ）が同ケーブルアッセンブリの上ケースを取り外した状態を示す概略的斜視図である。
【図２】（ａ）が同ケーブルアッセンブリのＡ−Ａ断面図、（ｂ）が同ケーブルアッセンブリのＢ−Ｂ断面図である。
【図３】同ケーブルアッセンブリの上下ケース及びシールド手段を取り除いた状態の概略的斜視図であって、（ａ）が信号線接続状態を示す図、（ｂ）が信号線未接続状態を示す図である。
【図４】（ａ）が同ケーブルアッセンブリの上下ケース及びシールド手段を取り除いた状態のＣ−Ｃ矢視図、（ｂ）がα部分の拡大図である。
【図５】同ケーブルアッセンブリの基板及びプラグ部をホルダに取り付ける前の状態を示す概略的斜視図である。
【図６】同ケーブルアッセンブリのホルダの概略的斜視図であって、（ａ）が長さ方向の上方一端側から見た図、（ｂ）が長さ方向の上方他端側から見た図である。
【符号の説明】
【００８５】
１００    ケーブル
１１０    信号線
２００    プラグ部
３００    基板
３１０    接続部
４００    ホルダ
４１０    ホルダ本体
４１１    基板保持部
４１１ａ  基板ガイド溝
４１２    信号線保持部
４１２ａ  信号線ガイド溝
４２０    係止部
４３０    載置部
５００    シールド手段
５１０    第１のシールド板
５２０    第２のシールド板
５３０    第３のシールド板
５４０    第４のシールド板
５５０    保持シールド部材
５５１    ボックス部
５５２    閉塞板
５５３    閉塞板
【図１】
0004966769.tif 000002
【図２】
0004966769.tif 000003
【図３】
0004966769.tif 000004
【図４】
0004966769.tif 000005
【図５】
0004966769.tif 000006
【図６】
0004966769.tif 000007